(57)【要約】【課題】差動で動作する信号線の配線パターンが形成されるプリント配線基板における異なる差動信号同士のクロストークの発生を防止し、不要な輻射ノイズを低減することを可能とした電子機器を提供する。【解決手段】撮像装置は、ＣＰＵ５００、ＨＤＭＩ端子３００、ＵＳＢ端子３０１、差動伝送路４００、差動伝送路４０１等が実装されたプリント配線基板１００と、レンズ鏡筒２００を備える。ＨＤＭＩ端子３００は差動伝送路４００に電気的に接続される。ＨＤＭＩ端子３０１は差動伝送路４０１に電気的に接続される。差動伝送路４００および４０１は差動で動作する信号が伝送される。ＣＰＵ５００は差動伝送路４００と差動伝送路４０１にそれぞれ電気的に接続された端子５００ａと端子５００ｂを有する。ＣＰＵ５００の端子５００ａと端子５００ｂは、差動伝送路４００と差動伝送路４０１が交差しないように、それぞれ、ＨＤＭＩ端子３００の実装箇所とＵＳＢ端子３０１の実装箇所に対応する位置に配置されている。【選択図】図１
2010187090.tif 000002
【特許請求の範囲】
【請求項１】
プリント配線基板を備えた電子機器において、
前記プリント配線基板に配設され、差動で動作する信号が伝送される第１の配線パターンと、
前記第１の配線パターンに電気的に接続される第１の接続端子と、
前記プリント配線基板に配設され、差動で動作する信号が伝送される第２の配線パターンと、
前記第２の配線パターンに電気的に接続される第２の接続端子と、
前記プリント配線基板に配設され、前記第１の配線パターンと前記第２の配線パターンにそれぞれ電気的に接続された第１の端子と第２の端子を有する電子部品と、を備え、
前記電子部品の前記第１の端子と前記第２の端子とは、前記第１の配線パターンと前記第２の配線パターンが交差しないように、それぞれ、前記第１の接続端子の配設箇所と前記第２の接続端子の配設箇所に対応する位置に配置されていることを特徴とする電子機器。
【請求項２】
前記第１の配線パターンと前記第２の配線パターンのうち少なくとも一方は、ＵＳＢ規格またはＨＤＭＩ規格の信号が伝送される配線パターンであることを特徴とする請求項１記載の電子機器。
【請求項３】
前記第１の接続端子と前記第２の接続端子のうち少なくとも一方は、外部機器に接続するための端子であることを特徴とする請求項１記載の電子機器。
【請求項４】
前記第１の接続端子と前記第２の接続端子は、前記プリント配線基板に配設されていることを特徴とする請求項１記載の電子機器。
【請求項５】
前記第１の接続端子と前記第２の接続端子は、それぞれ、第１の中継基板と第２の中継基板に配設され、
前記第１の中継基板と前記第２の中継基板は、それぞれ、前記プリント配線基板に配設された第１の中継コネクタと第２の中継コネクタに接続されていることを特徴とする請求項１記載の電子機器。
【請求項６】
前記第１の接続端子と前記第２の接続端子のうちいずれか一方は、前記プリント配線基板に配設されると共に、前記第１の接続端子と前記第２の接続端子のうちいずれか他方は、中継基板に配設され、
前記中継基板は、前記プリント配線基板に配設された中継コネクタに接続されていることを特徴とする請求項１記載の電子機器。
【請求項７】
前記電子機器は、撮像装置であり、
被写体像を光電変換して画像データを生成する撮像手段と、
前記プリント配線基板に配設され、前記撮像手段を制御する撮像制御手段と、
前記プリント配線基板に配設され、前記撮像制御手段と前記電子部品が有する第３の端子とを接続する第３の配線パターンと、を更に備え、
前記電子部品の前記第３の端子は、前記第１の配線パターンおよび前記第２の配線パターンと交差しないように配置されていることを特徴とする請求項１乃至６のいずれかに記載の電子機器。
【請求項８】
前記第１の接続端子および前記第２の接続端子は、前記電子機器の側面側に並べた状態で配置されると共に、前記撮像制御手段は、前記電子機器の内側に配置され、
前記第１の接続端子および前記第２の接続端子と前記撮像制御手段との間に前記電子部品が配置されていることを特徴とする請求項７記載の電子機器。
【発明の詳細な説明】
【技術分野】
【０００１】
本発明は、差動で動作する信号線の配線パターンを有するプリント配線基板が搭載される電子機器に関する。
【背景技術】
【０００２】
従来、電子機器に搭載されるプリント配線基板に実装される差動伝送路には、ＵＳＢ（Universal Serial Bus）規格や、ＨＤＭＩ（High-Definition Multimedia Interface）規格の差動伝送路がある。この種の差動伝送路においては、対となる差動伝送路の特性インピーダンスをそれぞれの規格により定められた値で均一にする必要がある。
【０００３】
他方、電子機器の高性能化や高付加価値化に伴い、それを実現するための電子回路を搭載するプリント配線基板においては、より回路動作の高速化や信号線（配線パターン）の高密度化が図られるようになっている。回路動作の高速化に伴い、クロックラインの周波数上昇により不要な輻射ノイズが発生する場合がある。また、信号線の増加に伴い、ノイズ源になる信号線が隣接してクロストーク（ノイズの干渉）が発生する場合がある。そのため、特性インピーダンスを均一にすることが困難になってきている。
【０００４】
上記のような差動伝送路の不要な輻射ノイズを低減させ、他の信号とのクロストークを防止することを目的としたパターンレイアウトに関する技術が提案されている（例えば、特許文献１参照）。
【先行技術文献】
【特許文献】
【０００５】
【特許文献１】特開２００１-２６７７０１号公報
【発明の概要】
【発明が解決しようとする課題】
【０００６】
しかしながら、従来までは、ＵＳＢ規格やＨＤＭＩ規格等の差動伝送路を有する電子回路は、それぞれ単独でプリント配線基板に搭載されていたため、一対の差動伝送路と他の信号線とに関わるパターンレイアウトにさえ注意すればよかった。しかし、電子機器の高性能化や高付加価値化に伴い、同一のプリント配線基板に複数の規格の差動伝送路が搭載されるようになり、値の異なる特性インピーダンスを持つ差動伝送路同士の干渉が問題となっている。
【０００７】
本発明の目的は、差動で動作する信号線の配線パターンが形成されるプリント配線基板における異なる差動信号同士のクロストークの発生を防止し、不要な輻射ノイズを低減することを可能とした電子機器を提供することにある。
【課題を解決するための手段】
【０００８】
上記目的を達成するために、本発明は、プリント配線基板を備えた電子機器において、前記プリント配線基板に配設され、差動で動作する信号が伝送される第１の配線パターンと、前記第１の配線パターンに電気的に接続される第１の接続端子と、前記プリント配線基板に配設され、差動で動作する信号が伝送される第２の配線パターンと、前記第２の配線パターンに電気的に接続される第２の接続端子と、前記プリント配線基板に配設され、前記第１の配線パターンと前記第２の配線パターンにそれぞれ電気的に接続された第１の端子と第２の端子を有する電子部品と、を備え、前記電子部品の前記第１の端子と前記第２の端子とは、前記第１の配線パターンと前記第２の配線パターンが交差しないように、それぞれ、前記第１の接続端子の配設箇所と前記第２の接続端子の配設箇所に対応する位置に配置されていることを特徴とする。
【発明の効果】
【０００９】
本発明によれば、電子部品の第１の端子と第２の端子を、第１の配線パターンと第２の配線パターンが交差しないように、それぞれ、第１の接続端子の配設箇所と第２の接続端子の配設箇所に対応する位置に配置する。これにより、プリント配線基板における異なる差動信号同士のクロストークの発生を防止することが可能となり、不要な輻射ノイズを低減することが可能となる。
【図面の簡単な説明】
【００１０】
【図１】本発明の第１の実施の形態に係る電子機器としての撮像装置に搭載されたプリント配線基板の配線パターンの構成を示す正面図である。
【図２】図１のプリント配線基板を搭載した撮像装置の構成を示すブロック図である。
【図３】図１のプリント配線基板の配線パターンの構成を示す正面透視図である。
【図４】本発明の第２の実施の形態に係る電子機器としての撮像装置に搭載されたプリント配線基板の配線パターンの構成を示す正面図である。
【図５】本発明の第３の実施の形態に係る電子機器としての撮像装置に搭載されたプリント配線基板の配線パターンの構成を示す正面図である。
【発明を実施するための形態】
【００１１】
以下、本発明の実施の形態を図面に基づいて説明する。
【００１２】
〔第１の実施の形態〕
図１は、本発明の第１の実施の形態に係る電子機器としての撮像装置に搭載されたプリント配線基板の配線パターンの構成を示す正面図である。図２は、図１のプリント配線基板を搭載した撮像装置の構成を示すブロック図である。
【００１３】
本実施の形態および後述の各実施の形態では、本発明のプリント配線基板の配線構造を撮像装置（デジタルカメラ）に適用した場合について説明する。
【００１４】
図１、図２において、撮像装置は、撮像装置本体に、レンズ鏡筒２００、プリント配線基板１００、ＣＣＤ信号伝達基板２０１を装備している。撮像装置は、ＣＰＵ５００、撮影レンズ２０３、レンズ制御部２０２、撮像素子（以後ＣＣＤ）２０４、撮像制御部５０１、Ａ／Ｄ変換部５０３、マイクロフォン（以後マイク）５０４を備えている。更に、撮像装置は、Ａ／Ｄ変換部５０５、スピーカ５０６、操作部５０７、記録部５０８、メモリ５０９、差動伝送路４００、ＨＤＭＩ端子３００、差動伝送路４０１、ＵＳＢ端子３０１を備えている。ＵＳＢ：Universal Serial Bus。ＨＤＭＩ：High-Definition Multimedia Interface。
【００１５】
本実施の形態では、ＣＰＵ５００（電子部品）と、外部インタフェース（不図示）に接続するためのＨＤＭＩ端子３００およびＵＳＢ端子３０１とが、差動で動作する信号線の配線パターンが形成された同一のプリント配線基板１００に実装されている。
【００１６】
レンズ鏡筒２００には、上記の撮影レンズ２０３、ＣＣＤ２０４が搭載されている。プリント配線基板１００には、上記のＣＰＵ５００、撮像制御部５０１、信号線４０２、ＨＤＭＩドライバＩＣ５１０、差動伝送路４００、ＨＤＭＩ端子３００、ＵＳＢドライバＩＣ５１１、差動伝送路４０１、ＵＳＢ端子３０１が実装されている。プリント配線基板１００の撮像制御部５０１とレンズ鏡筒２００との間には、ＣＣＤ信号伝達基板２０１が接続されている。
【００１７】
更に詳述すると、プリント配線基板１００の略中央部には、ＣＰＵ５００が実装されている。プリント配線基板１００におけるＣＰＵ５００の実装箇所（配設箇所）に対して一方の側の端部には、ＨＤＭＩ端子３００とＵＳＢ端子３０１が実装されている。また、プリント配線基板１００におけるＣＰＵ５００の実装箇所（配設箇所）に対して他方の側には、撮像制御部５０１が実装されている。
【００１８】
ＨＤＭＩ端子３００（第１の接続端子）は、差動伝送路４００（第１の配線パターン）に電気的に接続されている。ＵＳＢ端子３０１（第２の接続端子）は、差動伝送路４０１（第２の配線パターン）に電気的に接続されている。ＣＰＵ５００は、各信号の制御を行うＨＤＭＩドライバＩＣ５１０と、差動伝送路４００を介してＨＤＭＩ端子３００に電気的に接続されている。また、ＣＰＵ５００は、各信号の制御を行うＵＳＢドライバＩＣ５１１と、差動伝送路４０１を介してＵＳＢ端子３０１に電気的に接続されている。また、ＣＰＵ５００は、ＣＣＤ２０４（撮像手段）を制御する撮像制御部５０１（撮像制御手段）に電気的に接続されている。
【００１９】
ＨＤＭＩ端子３００までの差動伝送路４００は、差動で動作する信号が伝送され、差動の特性インピーダンス値が例えば１００Ωとなるように配線されている。差動伝送路４００は、ＨＤＭＩ規格の信号が伝送される配線パターンである。ＵＳＢ端子３０１までの差動伝送路４０１は、差動で動作する信号が伝送され、差動の特性インピーダンス値が例えば９０Ωとなるように配線されている。差動伝送路４０１は、ＵＳＢ規格の信号が伝送される配線パターンである。
【００２０】
撮像制御部５０１は、Ａ／Ｄ変換部５０２を備えており、ＣＣＤ２０４の制御を行う。操作部５０７は、撮像装置で撮影を行う際の各種操作や設定に用いる。記録部５０８は、撮影した映像のデジタルデータ（画像データ）や音声のデジタルデータを記録する。メモリ５０９は、各種データを記憶する。ＣＰＵ５００は、記録部５０８に記録された映像のデジタルデータや音声のデジタルデータを読み出し、ＨＤＭＩ端子３００、ＵＳＢ端子３０１を介し外部機器（テレビジョン受像機（以後テレビ）、パーソナルコンピュータ等）とデータ通信を行うことができる。
【００２１】
ここで、ＨＤＭＩ端子３００とＵＳＢ端子３０１は、撮像装置筐体の側面側に並べた状態で配置されている。また、プリント配線基板１００に実装された撮像制御部５０１は、撮像装置筐体の内側に配置されている。また、上述したように、プリント配線基板１００においてＨＤＭＩ端子３００およびＵＳＢ端子３０１と撮像制御部５０１との間にＣＰＵ５００が配置されている。
【００２２】
次に、撮像装置の動作を簡単に説明する。撮影に伴い撮影レンズ２０３を通過した被写体像がＣＣＤ２０４の撮像面上に結像され、ＣＣＤ２０４により被写体像が電気信号に光電変換される。被写体像を光電変換することで生成された画像データは、ＣＣＤ信号伝達基板２０１を介してプリント配線基板１００に実装された撮像制御部５０１に伝送される。
【００２３】
撮像制御部５０１は、ＣＣＤ信号伝達基板２０１を介してＣＣＤ２０４を駆動することで、被写体像を光電変換して生成された画像データを取得し、Ａ／Ｄ変換部５０２によりＡ／Ｄ変換を行いＣＰＵ５００に転送する。ＣＰＵ５００は、Ａ／Ｄ変換後の画像データに対し信号処理を行い、記録部５０８に出力し記録する。
【００２４】
マイク５０４は、撮像装置による動画撮影時の音声入力や、撮影した動画に撮影者が音声で注釈をつけるアノテーションに用いる。Ａ／Ｄ変換部５０３は、マイク５０４から入力された音声をＡ／Ｄ変換したデジタルデータをＣＰＵ５００に送出する。ＣＰＵ５００は、デジタルデータを記録部５０８に記録する。音声を再生する際は、ＣＰＵ５００は、記録部５０８から読み出したデジタルデータをＤ／Ａ変換部５０５に送出することで音声にＤ／Ａ変換する。これにより、スピーカ５０６を鳴動させることで音声を再生することができる。
【００２５】
図３は、図１のプリント配線基板の配線パターンの構成を示す正面透視図である。
【００２６】
図３において、ＣＰＵ５００は、第１の端子５００ａ、第２の端子５００ｂ、第３の端子５００ｃを備えている。ＣＰＵ５００の第１の端子５００ａは、ＨＤＭＩ端子３００に接続された差動伝送路４００の信号線およびＨＤＭＩドライバＩＣ５１０と接続されている。ＣＰＵ５００の第２の端子５００ｂは、ＵＳＢ端子３０１に接続された差動伝送路４０１の信号線およびＵＳＢドライバＩＣ５１１と接続されている。
【００２７】
ＣＰＵ５００の第３の端子５００ｃは、撮像制御部５０１の信号線４０２（第３の配線パターン）と接続されている。また、ＣＰＵ５００の第３の端子５００ｃは、差動伝送路４００および差動伝送路４０１と交差しないように配置されている。
【００２８】
ＣＰＵ５００におけるＨＤＭＩ端子３００に接続された第１の端子５００ａ、ＵＳＢ端子３０１に接続された第２の端子５００ｂと、撮像制御部５０１に接続された第３の端子５００ｃとは、次の位置関係に配置されている。即ち、ＣＰＵ５００の面上において所定間隔をおいて対向する位置関係に配置されている。また、ＣＰＵ５００の第１の端子５００ａと第２の端子５００ｂとは、差動伝送路４００と差動伝送路４０１が交差しないように、それぞれ、ＨＤＭＩ端子３００の実装箇所（配設箇所）とＵＳＢ端子３０１の実装箇所（配設箇所）に対応した位置に配置されている。
【００２９】
以上詳細に説明したように、本実施の形態によれば、ＣＰＵ５００の第１の端子５００ａ、第２の端子５００ｂを、差動伝送路４００と差動伝送路４０１が交差しないように、ＨＤＭＩ端子３００、ＵＳＢ端子３０１の実装箇所に対応する位置に配置している。これにより、プリント配線基板１００における異なる差動信号同士のクロストークの発生を防止することが可能となり、不要な輻射ノイズを低減することが可能となる。
【００３０】
また、２つの差動伝送路のうち一方の差動伝送路４００をＨＤＭＩ規格の信号の配線パターンとし、他方の差動伝送路４０１をＵＳＢ規格の信号の配線パターンとしている。これにより、特性インピーダンス値が異なる差動信号同士がクロストークを起こし、互いのインピーダンス値が乱れることにより信号の伝送品質が低下するのを防止することが可能となる。
【００３１】
また、ＣＰＵ５００の第３の端子５００ｃを、差動伝送路４００および差動伝送路４０１と交差しないように配置している。これにより、撮像制御部５０１の動作の高速化に伴う周波数の高いクロックラインと差動信号とのクロストークの発生を防止することが可能となり、不要な輻射ノイズを低減することが可能となる。
【００３２】
また、ＨＤＭＩ端子３００とＵＳＢ端子３０１を撮像装置筐体の側面側に並べた状態で配置すると共に、撮像制御部５０１を撮像装置筐体の内側に配置し、ＨＤＭＩ端子３００およびＵＳＢ端子３０１と撮像制御部５０１との間にＣＰＵ５００を配置している。これにより、撮像装置の略中央部に配置されたＣＣＤを制御する回路のクロックラインと、外部インタフェースとして撮像装置外周部に配置されるコネクタ（ＨＤＭＩ端子とＵＳＢ端子）に接続される差動信号とのクロストークの発生を防止することが可能となる。更に、ＣＣＤとコネクタを効率よく配置することが可能となる。
【００３３】
〔第２の実施の形態〕
本発明の第２の実施の形態は、上記第１の実施の形態に対して、下記の点において相違する。本実施の形態のその他の要素は、上記第１の実施の形態（図１、図２）の対応するものと同一なので、下記の図４において説明を簡略化または省略する。
【００３４】
上記第１の実施の形態では、ＣＰＵ５００と、外部インタフェースに接続するためのＨＤＭＩ端子３００およびＵＳＢ端子３０１とを同一のプリント配線基板に実装する構成とした。
【００３５】
これに対し、本実施の形態は、ＨＤＭＩ端子３００、ＵＳＢ端子３０１を２つの中継基板にそれぞれ実装すると共に、２つの中継基板をそれぞれ中継コネクタによりプリント配線基板に接続する構成としたものである。
【００３６】
図４は、本実施の形態に係る電子機器としての撮像装置に搭載されたプリント配線基板の配線パターンの構成を示す正面図である。
【００３７】
図４において、撮像装置は、撮像装置本体に、レンズ鏡筒２００、プリント配線基板１００、ＣＣＤ信号伝達基板２０１、第１の中継基板３０４、第２の中継基板３０５を装備しており、外部機器とデータ通信が可能に構成されている。レンズ鏡筒２００には、撮影レンズ２０３、ＣＣＤ２０４（図２参照）が搭載されている。
【００３８】
プリント配線基板１００には、ＣＰＵ５００、撮像制御部５０１、信号線４０２、ＨＤＭＩドライバＩＣ５１０、ＨＤＭＩ規格の差動伝送路４００、第１の中継コネクタ３０２が実装されている。更に、プリント配線基板１００には、ＵＳＢドライバＩＣ５１１、ＵＳＢ規格の差動伝送路４０１、第２の中継コネクタ３０３が実装されている。プリント配線基板１００の撮像制御部５０１とレンズ鏡筒２００との間には、ＣＣＤ信号伝達基板２０１が接続されている。
【００３９】
更に詳述すると、プリント配線基板１００におけるＣＰＵ５００の実装箇所に対して一方の側には、第１の中継コネクタ３０２、第２の中継コネクタ３０３が実装されている。第１の中継基板３０４は、第１の中継コネクタ３０２を介してプリント配線基板１００に接続されている。また、第２の中継基板３０５は、第２の中継コネクタ３０３を介してプリント配線基板１００に接続されている。第１の中継基板３０４には、ＨＤＭＩ規格の差動伝送路４０３、ＨＤＭＩ端子３００が実装されている。また、第２の中継基板３０５には、ＵＳＢ規格の差動伝送路４０４、ＵＳＢ端子３０１が実装されている。
【００４０】
ＨＤＭＩ端子３００は、第１の中継基板３０４に実装された差動伝送路４０３と、プリント配線基板１００に実装された差動伝送路４００を介してＨＤＭＩドライバＩＣ５１０に接続され、更にそこからＣＰＵ５００と電気的に接続されている。ＵＳＢ端子３０１は、第２の中継基板３０５に実装された差動伝送路４０４と、プリント配線基板１００に実装された差動伝送路４０１を介してＵＳＢドライバＩＣ５１１に接続され、更にそこからＣＰＵ５００と電気的に接続されている。ＨＤＭＩドライバＩＣ５１０、ＵＳＢドライバＩＣ５１１が、それぞれＣＰＵ５００に電気的に接続されることで、信号の送受信を行っている。
【００４１】
以上詳細に説明したように、本実施の形態によれば、ＨＤＭＩ端子３００とＵＳＢ端子３０１を２つの中継基板にそれぞれ実装すると共に、２つの中継基板をそれぞれ中継コネクタによりプリント配線基板１００に接続している。これにより、プリント配線基板１００における異なる差動信号同士のクロストークの発生を防止することが可能となり、不要な輻射ノイズを低減することが可能となる。更に、自由な基板レイアウト設計が可能となる。
【００４２】
〔第３の実施の形態〕
本発明の第３の実施の形態は、上記第１の実施の形態に対して、下記の点において相違する。本実施の形態のその他の要素は、上記第１の実施の形態（図１、図２）の対応するものと同一なので、下記の図５において説明を簡略化または省略する。
【００４３】
上記第２の実施の形態では、ＨＤＭＩ端子３００、ＵＳＢ端子３０１を２つの中継基板にそれぞれ実装すると共に、２つの中継基板をそれぞれ中継コネクタによりプリント配線基板に接続する構成とした。
【００４４】
これに対し、本実施の形態は、ＨＤＭＩ端子３００をプリント配線基板に実装し、ＵＳＢ端子３０１を中継基板に実装すると共に中継基板を中継コネクタによりプリント配線基板に接続する構成としたものである。
【００４５】
図５は、本の実施の形態に係る電子機器としての撮像装置に搭載されたプリント配線基板の配線パターンの構成を示す正面図である。
【００４６】
図５において、撮像装置は、撮像装置本体に、レンズ鏡筒２００、プリント配線基板１００、ＣＣＤ信号伝達基板２０１、中継基板３０５を装備しており、外部機器とデータ通信が可能に構成されている。レンズ鏡筒２００には、撮影レンズ２０３、ＣＣＤ２０４（図２参照）が搭載されている。
【００４７】
プリント配線基板１００には、ＣＰＵ５００、撮像制御部５０１、信号線４０２、ＨＤＭＩドライバＩＣ５１０、ＨＤＭＩ規格の差動伝送路４００、ＨＤＭＩ端子３００が実装されている。更に、プリント配線基板１００には、ＵＳＢドライバＩＣ５１１、ＵＳＢ規格の差動伝送路４０１、中継コネクタ３０３が実装されている。プリント配線基板１００の撮像制御部５０１とレンズ鏡筒２００との間には、ＣＣＤ信号伝達基板２０１が接続されている。
【００４８】
更に詳述すると、プリント配線基板１００におけるＣＰＵ５００の実装箇所に対して一方の側には、ＨＤＭＩ端子３００（いずれか一方）、中継コネクタ３０３が実装されている。中継基板３０５は、中継コネクタ３０３を介してプリント配線基板１００に接続されている。中継基板３０５には、ＵＳＢ規格の差動伝送路４０４、ＵＳＢ端子３０１（いずれか他方）が実装されている。
【００４９】
ＵＳＢ端子３０１は、中継基板３０５に実装された差動伝送路４０４と、プリント配線基板１００に実装された差動伝送路４０１を介してＵＳＢドライバＩＣ５１１に接続され、更にそこからＣＰＵ５００と電気的に接続されている。他方、ＨＤＭＩ端子３００は、上述したようにプリント配線基板１００に直接実装されており、プリント配線基板１００に実装された差動伝送路４００を介してＨＤＭＩドライバＩＣ５１０に接続され、更にそこからＣＰＵ５００と電気的に接続されている。ＨＤＭＩドライバＩＣ５１０、ＵＳＢドライバＩＣ５１１が、それぞれＣＰＵ５００に電気的に接続されることで、信号の送受信を行っている。
【００５０】
以上詳細に説明したように、本実施の形態によれば、ＨＤＭＩ端子３００をプリント配線基板１００に実装し、ＵＳＢ端子３０１を中継基板３０５に実装すると共に中継基板３０５を中継コネクタ３０３によりプリント配線基板１００に接続している。これにより、特性インピーダンス値が異なる差動信号同士がクロストークを起こし、互いのインピーダンス値が乱れることによって外部機器と送受信する際の信号の伝送品質が低下するのを防止することが可能となる。
【００５１】
〔他の実施の形態〕
第１乃至第３の実施の形態では、本発明のプリント配線基板の配線構造を撮像装置（デジタルカメラ）に適用した場合について説明したが、これに限定されるものではない。本発明のプリント配線基板の配線構造はデジタルカメラの他に、プリント配線基板を有する電子機器全般（携帯情報端末（ＰＤＡ）、携帯電話機、テレビ、パーソナルコンピュータ（情報処理装置）を含む）に適用することができる。
【００５２】
第３の実施の形態では、ＨＤＭＩ端子３００をプリント配線基板に実装し、ＵＳＢ端子３０１を中継基板に実装すると共に中継基板を中継コネクタによりプリント配線基板に接続する構成としたが、これに限定されるものではない。ＵＳＢ端子３０１をプリント配線基板に実装し、ＨＤＭＩ端子３００を中継基板に実装すると共に中継基板を中継コネクタによりプリント配線基板に接続する構成としてもよい。
【符号の説明】
【００５３】
１００  プリント配線基板
２０４  ＣＣＤ
３００  ＨＤＭＩ端子
３０１  ＵＳＢ端子
３０２  第１の中継コネクタ
３０３  第２の中継コネクタ
３０４  第１の中継基板
３０５  第２の中継基板
４００、４０１、４０３、４０４  差動伝送路
４０２  撮像制御部の信号線
５００  ＣＰＵ
５０１  撮像制御部
５１０  ＨＤＭＩドライバＩＣ
５１１  ＵＳＢドライバＩＣ
【図２】
2010187090.tif 000003
【図１】
2010187090.tif 000004
【図３】
2010187090.tif 000005
【図４】
2010187090.tif 000006
【図５】
2010187090.tif 000007